(57)【特許請求の範囲】
【請求項１】
来店した顧客の顧客層を示す顧客層データを入力する顧客層入力手段と、
前記顧客層データを記憶する顧客層記憶手段と、
前記顧客層データを所定の期間毎に集計して顧客層別の顧客数を求める顧客数集計手段と、
画像を表す複数の画像データを記憶し、前記画像の属性を表す属性データを書き換え可能に記憶する画像情報記憶手段と、
前記顧客数と前記属性データとに基づき、出力すべき画像データを前記期間毎に決定し、決定された画像データのリストを定義する時間帯別表示広告ファイルを作成する手段と、
現在日時を表す日時データを取得する日時データ取得手段と、
前記日時データが表す現在日時が属する期間に出力すべき画像データのリストを定義する時間帯別表示広告ファイルをオープンし、オープンされている時間帯別表示広告ファイルが定義するリストに示されている画像データを選択して、選択した画像データを前記画像情報記憶手段より取得する画像選択手段と、
前記画像選択手段が取得した画像データを表示装置に出力する画像出力手段と、
を備え、
前記属性データは、各々の前記画像データと当該画像データが表す画像を閲覧させるべきひとつ又は複数の顧客層との対応付けを示す情報を含む、
ことを特徴とする画像表示システム。
【請求項２】
前記時間帯別表示広告ファイルを作成する手段は、前記期間における顧客数の平均値が所定値を超える顧客層に対応付けられた前記画像データのうちからのみ、出力すべき画像データを決定する、
ことを特徴とする請求項１に記載の画像表示システム。
【請求項３】
前記時間帯別表示広告ファイルは、出力すべき画像データを示す番号を、画像データが出力されるべき順に格納するものであり、
前記画像選択手段は、オープンされている時間帯別表示広告ファイルが定義するリストに示されている画像データを、当該時間帯別表示広告ファイルに番号が格納されている順に順次選択する、
ことを特徴とする請求項１又は２に記載の画像表示システム。
【発明の詳細な説明】
【０００１】
【発明の属する技術分野】
この発明は、画像表示システムに関し、特に、ＰＯＳ（販売時点情報管理）システム等が配置されている店舗等で広告等の画像情報を表示する画像表示システムに関する。
【０００２】
【従来の技術】
広告等の画像情報を表示する表示装置を備えるＰＯＳシステムが従来より存在する。
【０００３】
このＰＯＳシステムは、例えば、ＩＳＤＮ（統合サービスデジタル網）を用いて、広告等のＰＯＳ端末画像情報をサーバより配信し、液晶パネルに画像を表示するものである。
【０００４】
【発明が解決しようとする課題】
このようなＰＯＳシステムでは、予め定められたシーケンスで広告等が配信及び表示されるに過ぎず、広告の内容をＰＯＳ端末側で選択することができない。
このため、該ＰＯＳ端末の設置地点における広告の需要に対し、効率的に対応することができないという問題がある。
【０００５】
この発明は上記実状に鑑みてなされたもので、画像の属性及び店舗等に固有の条件に応じて画像を選択することにより、店舗等の側における画像の需要に効率的に対応できる画像表示システムを提供することを目的とする。
【０００６】
【課題を解決するための手段】
上記目的を達成するため、この発明の第１の観点にかかる画像表示システムは、
来店した顧客の顧客層を示す顧客層データを入力する顧客層入力手段と、
前記顧客層データを記憶する顧客層記憶手段と、
前記顧客層データを所定の期間毎に集計して顧客層別の顧客数を求める顧客数集計手段と、
画像を表す複数の画像データを記憶し、前記画像の属性を表す属性データを書き換え可能に記憶する画像情報記憶手段と、
前記顧客数と前記属性データとに基づき、出力すべき画像データを前記期間毎に決定し、決定された画像データのリストを定義する時間帯別表示広告ファイルを作成する手段と、
現在日時を表す日時データを取得する日時データ取得手段と、
前記日時データが表す現在日時が属する期間に出力すべき画像データのリストを定義する時間帯別表示広告ファイルをオープンし、オープンされている時間帯別表示広告ファイルが定義するリストに示されている画像データを選択して、選択した画像データを前記画像情報記憶手段より取得する画像選択手段と、
前記画像選択手段が取得した画像データを表示装置に出力する画像出力手段と、
を備え、
前記属性データは、各々の前記画像データと当該画像データが表す画像を閲覧させるべきひとつ又は複数の顧客層との対応付けを示す情報を含む、
ことを特徴とする。
【０００７】
このような画像表示システムでは、店舗の顧客の顧客層別の数が所定の期間（時間帯等）毎に集計され、集計結果が記憶される。そして画像の選択は、顧客層別・期間別の顧客数の集計結果と、画像の属性とに基づいて実行される。
これにより、店舗の顧客の構成に応じて、店舗の顧客の消費傾向などに適合した属性を有する画像が選択されるので、店舗等の側における画像の需要に効率的に対応した画像の選択が行われる。
また、このような画像表示システムでは、店舗の顧客の顧客層別・期間別の集計結果に基づいて選択される画像のうち、現在日時に合致する期間に表示されるための画像が出力される。このため、様々な時刻において、店舗の画像の需要に効率的に対応した画像の選択が行われる。
【０００８】
前記時間帯別表示広告ファイルを作成する手段は、前記期間における顧客数の平均値が所定値を超える顧客層に対応付けられた前記画像データのうちからのみ、出力すべき画像データを決定するものであってもよい。
【０００９】
このような画像表示システムでは、各顧客層のうち一定期間の顧客数の平均値が所定数を超えていた顧客層が特定され、その顧客層に適合した属性を有する画像が選択される。このため、選択される画像は、その店舗の主要な顧客層向けの画像に集中し、店舗の画像の需要に更に効率的に対応した画像の選択が行われる。
【００１０】
前記時間帯別表示広告ファイルは、出力すべき画像データを示す番号を、画像データが出力されるべき順に格納するものであってもよく、
前記画像選択手段は、オープンされている時間帯別表示広告ファイルが定義するリストに示されている画像データを、当該時間帯別表示広告ファイルに番号が格納されている順に順次選択するものであってもよい。
【００２６】
【発明の実施の形態】
以下、この発明の実施の形態を、図面を参照して説明する。
（第１の実施の形態）
図１〜図５を参照して、この発明の第１の実施の形態にかかる画像表示システムを、ＰＯＳ端末用の広告表示システムを例として説明する。
図１は、この発明の第１の実施の形態にかかる、広告表示システムの構成を示す。
【００２７】
図示するように、本実施の形態の広告表示システムは、物理的には、ＰＯＳシステムサーバ１と、データ回線２と、表示装置３と、ＰＯＳ端末４とより構成される。
【００２８】
ＰＯＳシステムサーバ１は、図２に示すように、後述する広告オブジェクトファイル１１及び広告属性ファイル１２を保持し、データ回線２を介して、ＰＯＳ端末４にこれらのファイルの内容を転送する。
【００２９】
データ回線２は、公衆電話回線、ＩＳＤＮ（統合サービスデジタル網）、無線通信回線等からなる。
【００３０】
表示装置３は、液晶パネル等からなり、画像を表示する。
【００３１】
ＰＯＳ端末４は、ＰＯＳシステムにおいて売上データ処理に用いられるキャッシュレジスタ等であって、メモリ４１と、データ回線接続装置４２と、内蔵タイマ４３と、外部記憶装置４４と、制御部４５を含む。
【００３２】
メモリ４１は、ＲＡＭ（Ｒａｎｄｏｍ  Ａｃｃｅｓｓ  Ｍｅｍｏｒｙ）等からなり、制御部４５のワークエリアとして用いられる。
【００３３】
データ回線接続装置４２は、ターミナルアダプタ、モデム等からなり、データ回線２を通じてＰＯＳシステムサーバ１より送られる情報を、制御部４５へ導く。
【００３４】
内蔵タイマ４３は、水晶発振器等を備え、制御部４５に、現在時刻を表す情報を連続的に供給する。
【００３５】
外部記憶装置４４は、ハードディスク装置等からなり、後述の広告プログラム１０と、広告オブジェクトファイル１１と、広告属性ファイル１２と、時間帯別広告対象顧客層ファイル１３と、時間帯別表示広告ファイル１４の各内容を記憶する。
また、制御部４５の書き込み要求に応じて記憶内容を変更し、制御部４５の読み出し要求に応じて、記憶内容を制御部４５に転送する。
【００３６】
制御部４５はＣＰＵ（Ｃｅｎｔｒａｌ  Ｐｒｏｃｅｓｓｉｎｇ  Ｕｎｉｔ）等からなり、データ回線接続装置４２及びデータ回線２を介して、ＰＯＳシステムサーバ１より、広告オブジェクトファイル１１及び広告属性ファイル１２を取得する。
また内蔵タイマ４３より現在時刻を表す情報を取得する。
また外部記憶装置４４が保持する時間帯別広告対象顧客層ファイル１３の読み出し及び時間帯別表示広告ファイル１４の読み書きを行う。
【００３７】
また、本実施の形態の広告表示システムは、論理的には、図２に示すように、広告プログラム１０と、広告オブジェクトファイル１１と、広告属性ファイル１２と、時間帯別広告対象顧客層ファイル（顧客ファイル）１３と、時間帯別表示広告ファイル１４とより構成される。
【００３８】
広告オブジェクトファイル１１と広告属性ファイル１２は、ＰＯＳシステムサーバ１に格納されており、広告プログラム１０と、時間帯別広告対象顧客層ファイル１３と、時間帯別表示広告ファイル１４は、ＰＯＳ端末４に格納されている。
【００３９】
広告プログラム１０は、広告属性ファイル１２及び時間帯別広告対象顧客層ファイル１３を参照して、後述する手順に従い、時間帯別表示広告ファイル１４を生成する。
そして、時間帯別表示広告ファイル１４の内容に従って広告オブジェクトファイル１１を選択し、表示装置３に内容を転送して表示を行わせる。
【００４０】
広告オブジェクトファイル１１には、１個の広告として表示装置３に表示される画像データ、すなわち、広告オブジェクトが複数個含まれる。各広告オブジェクトには、それぞれを特定するオブジェクト番号が付されている。
広告オブジェクトファイル１１は、ＡＶＩファイル、ＪＰＥＧファイル等からなる。
【００４１】
広告属性ファイル１２は、各広告の対象顧客層を特定するためのファイルであり、各広告が対象とする顧客層のデータが、オブジェクト番号と対応付けられて含まれる。
【００４２】
広告属性ファイル１２の具体的な構造を、図３（ａ）に示す。
図示するように、広告属性ファイル１２は、複数のレコードを含んでいて、ファイル先頭からのレコードの順位が、オブジェクト番号に対応する。
各レコードには、該広告が対象とする顧客層を示す１個の８ビットワードが格納されている。
【００４３】
この８ビットワードを構成する８個のビットは、それぞれ、
２０歳未満の男子、
２０歳未満の女子、
２０歳以上３０歳未満の男子、
２０歳以上３０歳未満の女子、
３０歳以上４０歳未満の男子、
３０歳以上４０歳未満の女子、
４０歳以上の男子、
４０歳以上の女子、
の８種に分類された顧客層の各々に対応している。
そして、該広告が広告対象とする顧客層に対応するビットには１、また広告対象としない顧客層に対応するビットには０、の各ビットデータが格納される。
【００４４】
例えば、ある広告オブジェクトが４０歳未満の女子を対象とするものであるとき、当該広告オブジェクトに対応する前記８ビットワードの値は、０１０１０１００となる。
【００４５】
時間帯別広告対象顧客層ファイル１３は、時間帯毎に広告対象の顧客層を定義するためのファイルであり、各時間帯において対象とされる顧客層のデータが、時間帯と対応付けられて含まれる。
【００４６】
時間帯別広告対象顧客層ファイル１３の具体的な構造を、図３（ｂ）に示す。
図示するように、時間帯別広告対象顧客層ファイル１３は、７個のレコードを含んでいる。
各レコードは、２４時間が７分割されて定義された時間帯の各々に対応する。具体的には、
６時以降１０時未満、
１０時以降１２時未満、
１２時以降１５時未満、
１５時以降１８時未満、
１８時以降２１時未満、
２１時以降２４時未満、
２４時以降６時未満、
の７個に、先頭レコードから順に対応する。
【００４７】
各レコードには、その先頭番地から、該時間帯において各顧客層が広告の対象とされるか否かを示す１個の８ビットワードが格納されている。
【００４８】
時間帯を表す番号は、上述の分割に従い、６時以降１０時未満の時間帯から順に、１から７までが割り当てられている。
【００４９】
８ビットワードを構成する各ビットは、広告属性ファイル１２におけるものと同様に、上述の８種に分類された顧客層の各々に対応している。
そして、当該時間帯において広告対象とすべき顧客層に対応するビットには１、また広告対象としない顧客層に対応するビットには０、の各ビットデータが格納される。
【００５０】
例えば、６時以降１０時未満の時間帯において、２０歳未満の女子、２０歳以上３０歳未満の男子、２０歳以上３０歳未満の女子及び３０歳以上４０歳未満の男子が広告対象となるとき、時間帯別広告対象顧客層ファイル１３の１番目のレコードの８ビットワードの値は、０１１１１０００となる。
【００５１】
時間帯別広告対象顧客層ファイル１３の内容は、事前の調査等に基づいて、ＰＯＳ端末４の設置地点における広告の選択が最適となるように予め設定されている。
【００５２】
例えば、ある時間帯には一定の顧客層の顧客の来店がほぼ皆無となることが既知であり、この時間帯におけるこの顧客層向けの広告の表示を欲しないときは、時間帯別広告対象顧客層ファイル１３中、該時間帯及び該顧客層に対応するビットをすべて０とすればよい。
【００５３】
時間帯別表示広告ファイル１４は、時間帯毎に表示装置３により表示されるべき広告のリストを定義するファイルであり、時間帯毎に独立した７個のファイルである。
１個の時間帯に対応する１個のファイルには、図３（ｃ）に示すように、該時間帯において表示されるべき広告を示すオブジェクト番号が、表示されるべき順に格納されている。
【００５４】
＜第１の実施の形態の動作＞
次に、本実施の形態の広告表示システムの動作を、図４、５を参照して説明する。
図４のフローチャートは、広告プログラム１０のメインルーチンを示している。
図示するように、ＰＯＳ端末４が起動されると、まず、制御部４５は、時間帯別表示広告ファイル１４を作成するため、時間帯別表示広告ファイル作成ルーチンを実行する（Ｓ１０１）。
【００５５】
この時間帯別表示広告ファイル作成ルーチンの内容を図５に示す。
図示するように、時間帯別表示広告ファイル作成ルーチンが開始されると、制御部４５は、データ回線接続装置４２及びデータ回線２を介し、ＰＯＳシステムサーバ１より、広告属性ファイル１２を取得する。
そして取得された広告属性ファイル１２を外部記憶装置４４に記憶し、その先頭のレコードの内容を読み出してメモリ４１に記憶する（Ｓ２０１）。
【００５６】
次に、制御部４５は、外部記憶装置４４から、時間帯別広告対象顧客層ファイル１３を読み出し、先頭レコードの内容（すなわち、６時以降１０時未満の時間帯に対応する顧客層のデータ）を、メモリ４１に記憶する（Ｓ２０２）。
【００５７】
また、該時間帯に対応する時間帯別表示広告ファイル１４を、内容が空のファイルとして１個新規に作成してオープンする（Ｓ２０３）。
【００５８】
次に、制御部４５は、メモリ４１に記憶された広告属性ファイル１２の８ビットワードの内容を参照し（Ｓ２０４）、また、メモリ４１に記憶された、時間帯別広告対象顧客層ファイル１３の８ビットワードの内容を参照する（Ｓ２０５）。
【００５９】
そして、Ｓ２０４で参照された８ビットワードと、Ｓ２０５で参照された８ビットワードについて、同一顧客層に対応するビット同士でＡＮＤ演算を行い（Ｓ２０６）、演算結果の中に０でないものがあるか否かを判別する（Ｓ２０７）。
【００６０】
例えば、Ｓ２０４で参照された８ビットワードの値が０１０１０１００であり、Ｓ２０５で参照された８ビットワードの値が０１１１１０００であれば、両者のＡＮＤ演算結果は、０１０１００００となる。この場合は、演算結果に０でないものが含まれると判別される。
【００６１】
このＡＮＤ演算を行うことは、各々の顧客層が、当該広告の対象になっていて、且つ、当該時間帯における広告の対象になっているかを、各顧客層毎に検証することに等しい。
【００６２】
すなわち、ＡＮＤ演算の結果、ある顧客層に対応するビットが１であった場合、広告属性ファイル１２の該顧客層に対応するビットも、時間帯別広告対象顧客層ファイル１３の該顧客層に対応するビットも、共に１であり、その顧客層が当該時間帯において当該広告の広告対象となっていることを示す。
【００６３】
従って、ＡＮＤ演算の結果、いずれかのビットが０でない場合、Ｓ２０４で参照された８ビットワードに対応する広告は、Ｓ２０５で参照された８ビットワードに対応する時間帯において、いずれかの顧客層を対象として表示されるべき広告であることになる。
【００６４】
そこで、Ｓ２０７において、演算結果に０でないものが含まれると判別された場合、制御部４５は、その広告を表示対象とすることを決定する。
そして、該広告に対応するオブジェクト番号を、Ｓ２０３で作成された時間帯別表示広告ファイル１４の最後尾のデータに続く位置に書き込む（Ｓ２０８）。
【００６５】
そして、広告属性ファイル１２に次レコードがあるか否かを判別する（Ｓ２０９）。
次レコードがあるとき、制御部４５は次レコードの内容を読み出す（Ｓ２１０）。そして、Ｓ２０４で参照されたメモリ４１の記憶内容にＳ２１０で読み出した内容を上書きして、処理をＳ２０６へ移行する（Ｓ２１１）。
【００６６】
Ｓ２０７において、演算結果がすべて０であると判別された場合は、処理をＳ２０７から直ちにＳ２０９へ移行し、Ｓ２０８を経ない。すなわち、その広告を表示対象としない。
【００６７】
Ｓ２０４〜Ｓ２１１の処理により、Ｓ２０２で参照されたレコードに対応する時間帯に表示されるべき広告がすべて決定されると、Ｓ２０９において、次レコードなしと判別される。
このとき、処理はＳ２１２へ移行し、Ｓ２１２において、制御部４５は時間帯別表示広告ファイル１４をクローズする。
【００６８】
次いで制御部４５は、時間帯別広告対象顧客層ファイル１３に次の時間帯に対応するレコードがあるか否かを判別する（Ｓ２１３）。
次レコードがあるとき、制御部４５は次レコードの内容を読み出す（Ｓ２１４）。そして、Ｓ２０５で参照されたメモリ４１の記憶内容にＳ２１４で読み出した内容を上書きして、処理をＳ２０３へ移行する（Ｓ２１５）。
【００６９】
Ｓ２０２〜Ｓ２１５の処理により、全時間帯について時間帯別表示広告ファイル１４が完成すると（Ｓ２１３）、制御部４５は、データ回線２を介してＰＯＳシステムサーバ１にアクセスし、広告オブジェクトファイル１１をオープンする（Ｓ２１６）。
【００７０】
そして、７個の時間帯別表示広告ファイル１４のいずれかに記録されたすべてのオブジェクト番号に対応する広告オブジェクトを、広告オブジェクトファイル１１から検索して順次読み込み、外部記憶装置４４に保存する（Ｓ２１７）。
【００７１】
必要なすべての広告オブジェクトの読み込みが終了すると、制御部４５は、時間帯別表示広告ファイル作成ルーチンを終了し、処理を図４のＳ１０２へ移行する。
【００７２】
Ｓ１０２では、制御部４５は、内蔵タイマ４３を参照し、現在時刻の情報を取得する。
【００７３】
次に、制御部４５は、現在時刻が属する時間帯に対応する時間帯別表示広告ファイル１４をオープンし、該ファイルに格納されているオブジェクト番号のうちの先頭の番地を選択する（Ｓ１０３）。
【００７４】
次に、制御部４５は、外部からシステム終了の指示が入力されたか否かを判別する（Ｓ１０４）。
入力されたと判別されたときは、オープンされている時間帯別表示広告ファイル１４をクローズし、ＰＯＳ端末４の動作を終了する。
入力されていないと判別されたときは、処理をＳ１０５に移行する。
【００７５】
Ｓ１０５において、制御部４５は、オープンされている時間帯別表示広告ファイル１４のうち、制御部４５が現在選択している番地に格納されている広告オブジェクトの番号を参照する。
【００７６】
次に、制御部４５は、Ｓ１０５で参照したオブジェクト番号をキーとして、外部記憶装置４４に保存されている広告オブジェクトファイル１１を検索する。そして、参照された広告オブジェクトの番号に対応する広告オブジェクトを読み込む（Ｓ１０６）。
【００７７】
制御部４５は、Ｓ１０６で読み込んだ広告オブジェクトを画像信号に変換し、表示装置３に出力する（Ｓ１０７）。これにより、表示装置３は広告の画像を所定期間表示する。
【００７８】
次に、制御部４５は、内蔵タイマ４３を参照して再び現在時刻の情報を取得し（Ｓ１０８）、現在時刻が属する時間帯に対応する時間帯別表示広告ファイル１４を特定する（Ｓ１０９）。
そして、該時間帯別表示広告ファイルが、現在オープンされている時間帯別表示広告ファイル１４と同一のものであるか否かを判別する（Ｓ１１０）。
【００７９】
同一のものであると判別されたとき、制御部４５は、最後に参照されたオブジェクト番号の番地の次の番地の内容を選択し（Ｓ１１１）、処理をＳ１０４へ移行する。
同一のものでないと判別されたときは、現在オープンされている時間帯別表示広告ファイル１４をクローズし（Ｓ１１２）、処理をＳ１０３へ移行する。
【００８０】
Ｓ１０１〜Ｓ１１２の処理の結果、現在時刻が同一の時間帯に属する間は、該時間帯に対応する時間帯別表示広告ファイル１４に格納されているオブジェクト番号に対応する広告が、オブジェクト番号の格納の順番に対応して順次表示される。
そして、現在時刻が次の時間帯に移行すると、それ以降は次の時間帯に対応する時間帯別表示広告ファイル１４が読み出され、同様の処理が繰り返される。
【００８１】
なお、以上の実施の形態において、時間帯の設定基準は、上述のような１日の中での時間帯分けに限られず、任意に設定してよい。例えば、曜日別の分類、あるいは平日、土曜、日曜、祝日の区別による分類としてもよい。
【００８２】
また、顧客層の分類も、上述のような年齢・性別を基準とした分類に限られず、任意に設定してよい。例えば、小学生／中高生／大学生／会社員／主婦、等の区別に従って分類してもよい。
【００８３】
また、時間帯別表示広告ファイル１４は、上述のような時間帯毎に独立したファイルとする必要はなく、複数のレコードを含む１個のファイルとしてもよい。
この場合、例えば、各レコードには、例えば図６に示すように、各時間帯に固有の識別番号と、これに対応する時間帯において表示されるべき広告に対応するオブジェクト番号の配列の組を格納してもよい。
【００８４】
さらに、時間帯別表示広告ファイル１４は、時間帯別広告対象顧客層ファイル１３の内容に従わない条件によって適宜変更されてもよい。
例えば、所定の時間帯に対応する時間帯別表示広告ファイル１４の１０レコード毎に、特定の広告に対応するオブジェクト番号を挿入追加してよい。
こうすることにより、該時間帯には、該特定の広告が、１０回に１回必ず表示される。
【００８５】
（第２の実施の形態）
以上説明した実施の形態においては、各時間帯における広告対象の顧客層は予め定められているが、広告対象の顧客層は、ＰＯＳ端末４のユーザによるキー入力結果に基づいて随時変更されてもよい。
以下、このような第２の実施の形態にかかる広告表示システムを説明する。
【００８６】
図７に示すように、本実施の形態の広告表示システムの物理的構成は、ＰＯＳ端末４がさらにキーボード４６を備える点を除き、本発明の第１の実施の形態の広告表示システムのものと同一である。
【００８７】
キーボード４６は、第１の実施の形態における顧客層の分類と同一の分類に従った８種の顧客層の各々を表す顧客層キーを８個備える。
この顧客層キーが押下されると、その顧客層キーに対応する信号が制御部４５に送られる。
【００８８】
また、本実施の形態の広告表示システムは、論理的には、図８に示すように、広告オブジェクトファイル１１と、広告属性ファイル１２と、時間帯別広告対象顧客層ファイル１３と、時間帯別表示広告ファイル１４に加え、ＰＯＳデータファイル１５と、時間帯別平均来店顧客数テーブル１６とより構成される。ＰＯＳデータファイル１５と、時間帯別平均来店顧客数テーブル１６は、いずれも外部記憶装置４４に保持される。
【００８９】
ＰＯＳデータファイル１５は、ＰＯＳ端末４の使用の履歴を集積したファイルであり、過去にキーボード４６の顧客層キーが押された時刻の情報と、該顧客層キーの種類の情報とが組になったデータを含む。
【００９０】
顧客層キーの種類の情報は、顧客層キーが押される度に、制御部４５に導かれる。
これを検知した制御部４５は、検知の時点における時刻情報を取得し、この時刻情報と顧客層キーの情報とを、ＰＯＳデータファイル１５の隣接する番地に格納して、外部記憶装置４４に保存する。
以後、顧客層キーが押される度に、対応する顧客層キーの種類の情報及び現在時刻の情報が、ＰＯＳデータファイル１５のデータ最後尾に続いて書き加えられ、データが集積される。
【００９１】
この顧客層キーは、売り上げ処理が行われる度に、顧客の顧客層に対応してユーザにより押されるので、集積されたデータは、顧客の来店の履歴を表すデータとなる。
【００９２】
時間帯別平均来店顧客数テーブル１６は、時間帯と顧客層別平均来店顧客数の相関を示すテーブルであって、ＰＯＳデータファイル１５の内容に基づいて生成され、図９（ａ）に示すように、各時間帯における各顧客層の平均来店顧客数が、マトリクスをなすように格納された構造を有する。
時間帯及び顧客層の分類は、第１の実施の形態におけるものと同一である。
【００９３】
このマトリクスは、図９（ｂ）に示すように、カスケードに並んだ７組の配列変数の組からなり、各組が１個のレコードを形成する。
そして配列変数の各組は、先頭の組から順に、６時以降１０時未満、１０時以降１２時未満、１２時以降１５時未満、１５時以降１８時未満、１８時以降２１時未満、２１時以降２４時未満、２４時以降６時未満、の各時間帯に対応する。
配列変数の各組は、それぞれ８個の変数からなり、各変数は、先頭から、２０歳未満の男子、２０歳未満の女子、２０歳以上３０歳未満の男子、２０歳以上３０歳未満の女子、３０歳以上４０歳未満の男子、３０歳以上４０歳未満の女子、４０歳以上の男子、４０歳以上の女子、の各顧客層に対応する。
そして、各変数には、平均来店顧客数の情報が、時間帯及び顧客層別に格納されている。
【００９４】
＜第２の実施の形態の動作＞
本実施の形態の表示広告システムの動作は、時間帯別表示広告ファイル生成ルーチンを除いて、第１の実施の形態の表示広告システムの動作と同一である。
以下、本実施の形態の表示広告システムの動作における、時間帯別表示広告ファイル生成ルーチンを、図１０を参照して説明する。
【００９５】
ＰＯＳ端末４が起動され、時間帯別表示広告ファイル作成ルーチンが開始されると、制御部４５はまず、ＰＯＳデータファイル１５の中から、過去に顧客層キーが押された時刻および該顧客層キーの種類の情報の組を順次読み出す（Ｓ３０１）。
【００９６】
そして、各組の情報が、時間帯別平均来店顧客数テーブル１６のどのマトリクス要素に分類されるかを判別し、同一の分類に属するもの毎に、その数を集計する。そして、集計された各情報の数は、ＰＯＳデータファイル１５の記録の対象となっている総日数で除算され、これにより、各マトリクス要素毎に、平均来店顧客数が決定される（Ｓ３０２）。
【００９７】
次に制御部４５は、時間帯別平均来店顧客数テーブル１６を新規作成してオープンする（Ｓ３０３）。
【００９８】
この平均来店顧客数は、上述の時間帯別平均来店顧客数テーブル１６のデータ構造に従って記録され、時間帯別平均来店顧客数テーブル１６が完成する（Ｓ３０４）。
【００９９】
次に制御部４５は、時間帯別広告対象顧客層ファイル１３を新規作成してオープンする（Ｓ３０５）。
【０１００】
次に制御部４５は、時間帯別平均来店顧客数テーブル１６の先頭レコードを参照する（Ｓ３０６）。
そして、配列変数の各変数の値から、一定の判別条件に従って、対応する顧客層を広告対象とするか否かを順次判別する。
そして、広告対象とすべきと判別された場合１を、またそうでない場合０を、時間帯別広告対象顧客層ファイル１３のデータの最後尾に続けて書き込む（Ｓ３０７）。
【０１０１】
具体的な判別条件としては、例えば、平均来店顧客数が１０人以上であるか否かをみる。
すなわち、配列変数の各変数を順次参照して、１０以上である場合１を、また１０未満である場合０を書き込む。
【０１０２】
この結果、例えば、各時間帯における平均来店顧客数が図９（ａ）に示す通りである場合、６時〜１０時の時間帯に、１０人以上来店している顧客層は、
２０歳未満の女子、
２０歳以上３０歳未満の男子、
２０歳以上３０歳未満の女子、
３０歳以上４０歳未満の男子、
であるので、時間帯別広告対象顧客層ファイル１３の、６時〜１０時の時間帯に対応するレコードの８ビットワードの値は、０１１１１０００となる。
【０１０３】
当該メモリ配列の全変数の値の判別がなされ、各変数値に対応する１又は０の値がすべて時間帯別広告対象顧客層ファイル１３に書き込まれると、制御部４５は、時間帯別平均来店顧客数テーブル１６に次レコードがあるか否かを判別する（Ｓ３０８）。
判別の結果、次レコードがあると判別された場合、次レコードを参照して（Ｓ３０９）、処理をＳ３０７へ移行する。
【０１０４】
Ｓ３０８において、次レコードがないと判別されたとき、すなわち、すべての時間帯について時間帯別の広告対象の顧客層が決定されたときは、制御部４５は、図５に示した前述のステップＳ２０１へ処理を移行する。
以下の処理は、第１の実施の形態における処理と同一である。
【０１０５】
なお、時間帯別平均来店顧客数テーブル１６を生成するにあたって、平均来店顧客数の値は、過去３日間の平均値、広告オブジェクトファイル１１の内容が変更された時点以来の平均値など、任意のルールにより集計して算出してよい。
【０１０６】
また、時間帯別平均来店顧客数テーブル１６における、時間帯及び顧客層の定義も任意である。
顧客層の定義を上述と異なるものとする場合は、広告属性ファイル１２及び時間帯別広告対象顧客層ファイル１３における顧客層の定義をこれに一致させ、また、時間帯の定義を上述と異なるものとする場合は、時間帯別広告対象顧客層ファイル１３における時間帯の定義をこれと一致させる。
【０１０７】
また、時間帯別広告対象顧客層ファイル１３のデータを決定する手法としては、上述のように平均来店顧客数が閾値（上述の例では１０人）以上を広告対象とするアルゴリズムの他、任意のアルゴリズムにより決定してよい。例えば平均来店顧客数の如何に関わらず上位３顧客層を広告対象とする、等としてよい。
【０１０８】
また、時間帯別平均来店顧客数テーブル１６は、必ずしも実際に作成する必要はなく、ＰＯＳデータファイル１５から直接に時間帯別広告対象顧客層ファイル１３を生成してもよい。
【０１０９】
また、ＰＯＳデータファイル１５へ記録する情報を取得する手法は、上述の顧客層キーを用いる手法に限られず、任意の手法を用いてよい。例えば、顧客が提示する磁気カードの記憶内容を読み取る磁気カード読取装置を用いてもよい。
【０１１０】
以上、この発明の実施の形態を説明したが、この発明にかかる画像表示システムは、専用のシステムによらず、通常のコンピュータシステムを用いて実現可能である。
例えば、ネットワークを有するコンピュータシステムに、上述の動作を実行するためのプログラムを格納した媒体（フロッピーディスク、ＣＤ−ＲＯＭ等）から該プログラムをインストールすることにより、上述の処理を実行する表示システムを構成することができる。
【０１１１】
また、コンピュータシステムにプログラムを供給するための媒体は、通信媒体（通信回線、通信ネットワーク、通信システムのように、一時的且つ流動的にプログラムを保持する媒体）でも良い。
例えば、通信ネットワークの掲示板（ＢＢＳ）に該プログラムを掲示し、これをネットワークを介して配信してもよいし、該プログラムにより適宜の搬送波を変調して放送等により配信してもよい。
そして、このプログラムを起動し、ＯＳの制御下に、他のアプリケーションプログラムと同様に実行することにより、上述の処理を実行することができる。
【０１１２】
以上説明したように、この発明によれば、店舗の顧客の顧客層別の数が所定の期間（時間帯等）毎に集計され、集計結果が記憶される。そして画像の選択は、顧客層別・期間別の顧客数の集計結果と、画像の属性とに基づいて実行される。
これにより、店舗の顧客の構成に応じて、店舗の顧客の消費傾向などに適合した属性を有する画像が選択されるので、店舗等の側における画像の需要に効率的に対応した画像の選択が行われる。
【図面の簡単な説明】
【図１】本発明の第１の実施の形態にかかる広告表示システムの物理的な基本構成を示す図である。
【図２】本発明の第１の実施の形態にかかる広告表示システムの論理的な基本構成を示すブロック図である。
【図３】（ａ）は、広告属性ファイルのデータ構造を示す概念図、（ｂ）は、時間帯別広告対象顧客層ファイルのデータ構造を示す概念図、（ｃ）は、時間帯別表示広告ファイルのデータ構造を示す概念図である。
【図４】広告表示のアルゴリズムを示すフローチャートである。
【図５】本発明の第１の実施の形態における、時間帯別表示広告ファイルの作成のアルゴリズムを示すフローチャートである。
【図６】時間帯別表示広告ファイルのデータ構造を示す概念図である。
【図７】本発明の第２の実施の形態にかかる広告表示システムの物理的な基本構成を示す図である。
【図８】この発明の第２の実施の形態にかかる広告表示システムの論理的な基本構成を示すブロック図である。
【図９】（ａ）は、時間帯別平均来店顧客数テーブルの構造を示す図、（ｂ）は、時間帯別平均来店顧客数テーブルが外部記憶装置に保持される形態を示す図である。
【図１０】本発明の第２の実施の形態における、時間帯別表示広告ファイルの作成のアルゴリズムを示すフローチャートである。
【符号の説明】
１      ＰＯＳシステムサーバ
２      データ回線
３      表示装置
４      ＰＯＳ端末
１１    広告オブジェクトファイル
１２    広告属性ファイル
１３    時間帯別広告対象顧客層ファイル
１４    時間帯別表示広告ファイル
１５    ＰＯＳデータファイル
１６    時間帯別平均来店顧客数テーブル
４１    メモリ
４２    データ回線接続装置
４３    内蔵タイマ
４４    外部記憶装置
４５    制御部
４６    キーボード
【図１】
0003546118.tif 000002
【図２】
0003546118.tif 000003
【図３】
0003546118.tif 000004
【図４】
0003546118.tif 000005
【図５】
0003546118.tif 000006
【図６】
0003546118.tif 000007
【図７】
0003546118.tif 000008
【図８】
0003546118.tif 000009
【図９】
0003546118.tif 000010
【図１０】
0003546118.tif 000011